(57)【特許請求の範囲】
【請求項１】
前面に開口した外箱内に収納体が収納され、収納体をリンク機構を介して回動することで外箱内から前下方に引き下ろし自在とし、上記リンク機構は、一端部を外箱の側面部側に回転自在に軸支すると共に他端部を収納体の側面部に回転自在に軸支した前リンクと後リンクとよりなる平行リンクで構成されている昇降収納装置であって、収納体を外箱内に収納したときに前リンクを起立状態で保持するためのストッパーを備えており、後リンクの下端部の回転軸が前リンクの下端部の回転軸よりも上方で且つ後方に位置しており、後リンクの下端部の回転軸から下方に延長された下方延長部に、前リンクが起立して前リンクの下端部の回転軸よりも上方部がストッパーの前面に当たったときにストッパーの後面に当たることができるストッパー当接面を設けてなることを特徴とする昇降収納装置。
【請求項２】
ストッパーは、曲げ弾性を有する金属外皮の内側に弾性体を収納して構成されていることを特徴とする請求項１記載の昇降収納装置。
【請求項３】
外箱の側面部の内面に渦巻きバネ等の機構部を覆うための機構カバーが取り付けられ、機構カバーに後リンクの下端部を軸支する軸受部が設けられ、後リンクの下方延長部の下端と、収納体を外箱から前下方に回動して引き下ろす際に抵抗となるダンパー装置からのダンパー連結具とがピンにて連結されており、ピンには後リンクの回転時にダンパー連結具が機構カバーに当たるのを防止するための当たり防止部材を一体に設けたことを特徴とする請求項１記載の昇降収納装置。
【発明の詳細な説明】
【０００１】
【発明の属する技術分野】
本発明は、昇降収納装置に関し、詳しくは、収納体を外箱内に収納した状態で保持するストッパーを備えている昇降収納装置に関するものである。
【０００２】
【従来の技術】
従来の昇降収納装置として、図８〜図１０に示すように、前面に開口した外箱２内に収納体１が収納され、収納体１をリンク機構３を介して回動することで外箱２内から前下方に引き下ろし自在とし、リンク機構３は、一端部を外箱２の側面部２ａ側に回転自在に軸支すると共に他端部を収納体１の側面部に回転自在に軸支した前リンク４と後リンク５とよりなる平行リンクで構成されているものにおいて、収納体１を最も前下方に引き降ろしたときと、収納体１を外箱２内に収納したときの両方で、収納体１を両方の位置で保持するためのストッパー４０、４１を設けるようにしている。図中の４５は左右の前リンク４を連結する連結棒である。
【０００３】
【発明が解決しようとする課題】
ところが、従来の収納体１を外箱２内に収納した状態で保持するためのストッパー４１は、前リンク４が起立したときに前リンク４に当たって、前リンク４がそれ以上後方に倒れないようにしているが、このような１つのストッパー４１で前リンク４を後方から支える構造のものでは、特に、勢い良く収納体１が押し込まれて前リンク４がストッパー４１に強く当たったときには、ストッパー４１に強い衝撃が加わってストッパー４１の位置が図８の矢印方向にずれたり、ストッパー４１が破損したりする恐れがある。この場合、大荷重を支持するストッパー４１が機能しなくなって、昇降収納装置として機能を確保できなくなるだけでなく、ユーザーの安全面も保証できなくなり、ストッパー４１の耐久性を向上させる必要があった。そのために、従来では、ストッパー４１の数を左右の前リンク４と後リンク５とにそれぞれ１個ずつ、計４個に増やしてストッパー４１にかかる荷重を分散させることが試みられているが、この場合、部品数が増えてコスト高を招くという問題があった。
【０００４】
本発明は、上記の従来例の問題点に鑑みて発明したものであって、その目的とするところは、少ない数のストッパーで大荷重を確実に支えることができ、そのうえストッパーの耐久性を向上させなくても、ストッパーとしての機能を長期に亘って維持できるようにし、低コストで安全面と商品価値の向上とを図ることができる昇降収納装置を提供するにあり、また他の目的とするところは、昇降時の静音化を図ることができる昇降収納装置を提供するにある。
【０００５】
【課題を解決するための手段】
上記課題を解決するために本発明は、前面に開口した外箱２内に収納体１が収納され、収納体１をリンク機構３を介して回動することで外箱２内から前下方に引き下ろし自在とし、上記リンク機構３は、一端部を外箱２の側面部２ａ側に回転自在に軸支すると共に他端部を収納体１の側面部に回転自在に軸支した前リンク４と後リンク５とよりなる平行リンクで構成されている昇降収納装置であって、収納体１を外箱２内に収納したときに前リンク４を起立状態で保持するためのストッパー６を備えており、後リンク５の下端部の回転軸７が前リンク４の下端部の回転軸８よりも上方で且つ後方に位置しており、後リンク５の下端部の回転軸７から下方に延長された下方延長部９に、前リンク４が起立して前リンク４の下端部の回転軸８よりも上方部４ａがストッパー６の前面６ａに当たったときにストッパー６の後面６ｂに当たることができるストッパー当接面１０を設けてなることを特徴としており、このように構成することで、収納体１が外箱２内に収納されたときにはストッパー６が前リンク４の下端部の回転軸８よりも上方部４ａと後リンク５の下方延長部９のストッパー当接面１０とで前後両側から挟み込まれた状態となり、勢い良く前リンク４がストッパー６の前面６ａに当たったときでも、前リンク４からの衝撃力は後リンク５で相殺されて、ストッパー６に強い衝撃が加わることがなくなり、ストッパー６の位置がずれたり、ストッパー６が破損したりする恐れをなくすことができる。
【０００６】
また上記ストッパー６は、曲げ弾性を有する金属外皮１１の内側に弾性体１２を収納して構成されているのが好ましく、この場合、ストッパー６に対して前リンク４及び後リンク５が強く当たったときでも、弾性体１２によって外側の金属外皮１１が破損する恐れがなく、また、弾性体１２自体も破損するおそれがないために、ストッパー６の寿命を長期に亘って維持することができる。
【０００７】
また上記外箱２の側面部２ａの内面に渦巻きバネ等の機構部を覆うための機構カバー１３が取り付けられ、機構カバー１３に後リンク５の下端部を軸支する軸受部１４が設けられ、後リンク５の下方延長部９の下端と、収納体１を外箱２から前下方に回動して引き下ろす際に抵抗となるダンパー装置１５からのダンパー連結具１６とがピン１７にて連結されており、ピン１７には後リンク５の回転時にダンパー連結具１６が機構カバー１３に当たるのを防止するための当たり防止部材１８を一体に設けるのが好ましく、この場合、機構カバー１３にダンパー連結具１６が擦れたりするのをピン１７に設けた当たり防止部材１８によって防止できるので、台座となる機構カバー１３に傷がつく心配がなく、機構カバー１３を見栄え良く保つことができるうえに、擦れによる操作力の悪化も防止できる。
【０００８】
【発明の実施の形態】
以下、本発明を添付図面に示す実施形態に基づいて説明する。
【０００９】
本例の昇降収納装置は、図１、図５、図５に示すように、前面が開口した外箱２と、外箱２内に収納される収納体１と、収納体１を外箱２に対して回転自在に軸支して収納体１を前下方に引き下ろし自在とするリンク機構３と、収納体１を外箱２内に収納したときに前リンク４を起立状態で保持するためのストッパー６とで主体が構成されている。
【００１０】
外箱２は天袋のようなもので、壁の上部や天井の下面部のような部屋の高所に取り付けられるものである。収納体１は上方及び前方に開口した籠状をしており、軸支板２０を介してリンク機構３に枢支されている。
【００１１】
外箱２の側面部２ａの内面下部には取付基板２４が取り付けられている。この取付基板２４の内面に渦巻きバネ等の機構部を覆う機構カバー１３が固着されている。取付基板２４は機構カバー１３と外箱２の側面部２ａとの間に介在されて、収納体１を外箱２内に組み込む際に、収納体１が外箱２の側面部２ａの内面に当たって傷が付くのを防止する働きをする。取付基板２４の材料は、収納体１が当たっても容易に傷が付かない材料、例えばアルミニウムなどの金属材料が望ましい。
【００１２】
リンク機構３は、前リンク４と後リンク５とよりなる平行リンクにより構成してある。前リンク４及び後リンク５の各上端部は軸支板２０に回転自在に軸支されており、前リンク４及び後リンク５の下端部の各回転軸７，８は、軸支ブロック１７に回転自在に軸支されている。軸支ブロック１７は外箱２の側面部２ａの内面にねじ具で固定された機構カバー１３に一体に取り付けられている。さらに前リンク４及び後リンク５は互いに平行な異なる垂直面内でそれぞれ回動するように横方向にずらして配置されていて、指づめ防止が図られている。後リンク５には、収納体１を外箱２から前下方に回動して引き下ろす際に抵抗となるダンバー装置１５からのダンパー連結具１６が回転自在に軸支されており、収納体１の昇降時の衝撃を緩和できるようにしてある。
【００１３】
ここで、収納体１を外箱２内に収納したときに前リンク４を起立状態で保持するためのストッパー６は、左右の前リンク４にそれぞれ１個ずつ、計２個設けてある。
【００１４】
前リンク４の下端部の回転軸８は、図１に示すように、ストッパー６よりも下方で且つ前方に位置しており、後リンク５の下端部の回転軸７は、ストッパー６よりも上方で且つ後方に位置している。またこの後リンク５の下端部の回転軸７から下方に向かって下方延長部９が延長されており、この下方延長部９には、前リンク４が起立して前リンク４の下端部の回転軸８よりも上方部４ａがストッパー６の前面６ａに当たったときにストッパー６の後面６ｂに当たることができるストッパー当接面１０が設けられている。そして、収納体１を前下方に引き降ろす途中、或いは上方に引き上げる途中では、いずれも前リンク４と後リンク５とはストッパー６には当たらず、収納体１を外箱２内に収納したときのみ、前リンク４の下端部の回転軸８よりも上方部４ａがストッパー６の前面６ａに当たり且つ後リンク５の下端部の回転軸７よりも下方に延長された下方延長部９に設けたストッパー当接面１０がストッパー６の後面６ｂに当たるようになっている。また本例では、図２に示すように、収納体１を最も前下方に引き降ろしたときに、ストッパー６の上面６ｃに後リンク５の下端部の回転軸７よりも上方部５ａが当接可能となっており、ストッパー６は収納体１を最も前下方に引き降ろした状態を保持する働きも兼ね備えている。
【００１５】
また上記ストッパー６は、曲げ弾性を有する金属外皮１１の内側に弾性体１２を収納して構成されている。図３に示すように、ストッパー６は、機構カバー１３の内面中央部に設けられている円筒状の２つのボス３０と、そのボス３０形状に合わせた孔が設けられている直方体状のゴムなどの弾性体１２と、弾性体１２の上面から嵌め込まれるコ字状に折り曲げられた曲げ弾性を有する金属外皮１１とからなり、この曲げ弾性を有する金属外皮１１を直方体の弾性体１２の外面に嵌め込んでネジ４１で機構カバー１３に固着することによってストッパー６が構成されている。なお、弾性体１２としてゴムに限らず、例えば軟質合成樹脂などであってもよい。
【００１６】
しかして、収納体１が外箱２内に収納されて上昇位置にあるときは、前リンク４の下端部の回転軸８よりも上方部４ａがストッパー６の前面６ａに当たり、このとき、後リンク５の下端部の回転軸７からの下方延長部９に設けたストッパー当接面１０がストッパー６の背面に当たることによって、ストッパー６が前リンク４と後リンク５とで前後両側から挟み込まれた状態となる。これにより、前リンク４からの前方からの衝撃をストッパー６と後リンク５の下方延長部９とによって受け止めることができる。しかも、ストッパー６は前リンク４と後リンク５とで前後両側から挟み込まれるので、特に勢い良く前リンク４がストッパー６の前面６ａに当たったときでも、ストッパー６の後面６ｂに同時に後リンク５の下方延長部９が当たるので、前リンク４からの衝撃力が後リンク５で相殺され、これによりストッパー６に強い衝撃が加わることがなく、ストッパー６の位置がずれたり、ストッパー６が破損したりする恐れをなくすことができる。従って、ストッパー６の数を増やすことなく、左右の前リンク４にそれぞれ１個ずつ、計２個設けた構造であっても、大荷重を支持するストッパー６としての機能を長期に亘って維持できて、昇降収納装置として機能を確保できる同時に、ユーザーの安全面も保証できるようになり、さらにストッパー６の耐久性を向上させる必要がないので、ストッパー６の増加によるコストアップ等を抑えることができる。
【００１７】
しかも、ストッパー６は、直方体状のゴムなどの弾性体１２を曲げ弾性を有する金属外皮１１で覆っているので、ストッパー６に対して前リンク４及び後リンク５が強く当たったときでも、ストッパー６の外側が曲げ弾性を有する金属外皮１１で構成され、その内側がゴムなどの弾性体１２で構成されているために、内外両方の弾性体１２で衝撃をやわらげることができるものであり、また、内側がゴムなどの弾性体１２であるので外側の金属外皮１１が破損する恐れがなく、さらに、ゴムなどの弾性体１２自体も破損するおそれがなく、ストッパー６の寿命を長期に亘って維持できるものである。
【００１８】
図４〜図７は本発明の他の実施形態を示している。この例では、外箱２の側面部２ａの内面に渦巻きバネ等の機構部を覆うための機構カバー１３が取り付けられ、機構カバー１３に後リンク５の下端部を軸支する軸受部１４が設けられ、後リンク５の下方延長部９の下端には、収納体１を外箱２から前下方に回動して引き下ろす際に抵抗となるダンパー装置１５からのダンパー連結具１６がブッシュ４２を介してピン１７にて連結されている。図中の４５はＥリングである。ピン１７には後リンク５の回転時にダンパー連結具１６が機構カバー１３に当たるのを防止するための当たり防止部材１８としての鋲１８ａが一体に設けられている。他の構成は図１の実施形態と同様であり、以下異なる点を述べる。前記ストッパー当接面１０が設けられている後リンク５の下方延長部９の下端には、ダンパー連結具１６が鋲１８ａ付きピン１７にて軸支されている。ここでは、ナイロン製の鋲１８ａを筒状のピン１７内部に圧入させることにより、当たり防止機能を有する鋲１８ａ付きピン１７が構成されている。
【００１９】
ところで、後リンク５の回動に連動して伸縮するダンパー連結具１６は、収納体１の昇降と共に後リンク５の下端部の回転軸７を中心として機構カバー１３上のすれすれの所を回動する構造となっているが、このときユーザーが収納体１の取手を持って左右に揺らしながら収納体１を昇降させた場合とか、収納物を収納体１の片側に寄せて乗せたような偏荷重がかかっている場合などにおいて、仮りに鋲１８ａ付きピン１７がないと、ダンパー連結具１６が台座となる機構カバー１３に擦れてしまい、機構カバー１３に傷がついて見栄えが悪くなるだけでなく、擦れによる操作力の悪化、金属同士の擦れ音の発生、さらにはダンパー連結具１６と機構カバー１３との噛み込み等が発生してしまう。
【００２０】
これに対して本例では、前記のように鋲１８ａ付きピン１７を用いてダンパー連結具１６と後リンク５の下方延長部９とを枢支しているので、機構カバー１３とダンパー連結具１６との擦れや、機構カバー１３とピン１７との擦れをナイロン製の鋲１８ａによって防止できるので、台座となる機構カバー１３が擦れて傷つく心配がなく、機構カバー１３を見栄え良く保つことができるうえに、擦れによる操作力の悪化も発生せず、操作性を良くでき、さらに金属同士の擦れ音も発生しないので、収納体１の昇降時の静音化を図ることができる。
【００２１】
【発明の効果】
上述のように請求項１記載の発明にあっては、前面に開口した外箱内に収納体が収納され、収納体をリンク機構を介して回動することで外箱内から前下方に引き下ろし自在とし、上記リンク機構は、一端部を外箱の側面部側に回転自在に軸支すると共に他端部を収納体の側面部に回転自在に軸支した前リンクと後リンクとよりなる平行リンクで構成されている昇降収納装置であって、収納体を外箱内に収納したときに前リンクを起立状態で保持するためのストッパーを備えており、後リンクの下端部の回転軸が前リンクの下端部の回転軸よりも上方で且つ後方に位置しており、後リンクの下端部の回転軸から下方に延長された下方延長部に、前リンクが起立して前リンクの下端部の回転軸よりも上方部がストッパーの前面に当たったときにストッパーの後面に当たることができるストッパー当接面を設けてなるので、収納体が外箱内に収納されたときにはストッパーが前リンクの下端部の回転軸よりも上方部と後リンクの下方延長部のストッパー当接面とで前後両側から挟み込まれた状態となり、勢い良く前リンクがストッパーの前面に当たったときでも、前リンクからの衝撃力は後リンクで相殺されて、ストッパーに強い衝撃が加わることがなくなり、ストッパーの位置がずれたり、ストッパーが破損したりする恐れをなくすことができる。従って、ストッパーの数を増やす必要がなく、大荷重を支持するストッパーとしての機能を長期に亘って維持できて、昇降収納装置として機能を確保できる同時に、ユーザーの安全面も保証できるようになり、さらにストッパーの耐久性を向上させる必要もないので、ストッパーの数の増加及びコストアップを抑えることができる。
【００２２】
また請求項２記載の発明は、請求項１記載の効果に加えて、ストッパーは、曲げ弾性を有する金属外皮の内側に弾性体を収納して構成されているので、ストッパーに対して前リンク及び後リンクが強く当たったときでも、ストッパーの外側が曲げ弾性を有する金属外皮で構成され、且つその内側が弾性体で構成されているために、内外両方の弾性体で衝撃をやわらげることができるものであり、また、内側が弾性体であるので外側の金属外皮が破損する恐れがなく、さらに、弾性体自体も破損するおそれがないために、ストッパーの寿命を長期に亘って維持することができる。
【００２３】
また請求項３記載の発明は、請求項1記載の効果に加えて、外箱の側面部の内面に渦巻きバネ等の機構部を覆うための機構カバーが取り付けられ、機構カバーに後リンクの下端部を軸支する軸受部が設けられ、後リンクの下方延長部の下端と、収納体を外箱から前下方に回動して引き下ろす際に抵抗となるダンパー装置からのダンパー連結具とがピンにて連結されており、ピンには後リンクの回転時にダンパー連結具が機構カバーに当たるのを防止するための当たり防止部材を一体に設けたので、機構カバーにダンパー連結具が擦れたりするのをピンに設けた当たり防止部材によって防止できるので、台座となる機構カバーに傷がつく心配がなく、機構カバーを見栄え良く保つことができるうえに、擦れによる操作力の悪化も発生せず、操作性を良くでき、さらに金属同士の擦れ音も発生しないので、収納体の昇降時の静音化を図ることができる。
【図面の簡単な説明】
【図１】本発明の実施形態の一例を示す側面図である。
【図２】同上の収納体を収納体を最も前下方に引き降ろしたときの側面図である。
【図３】（ａ）はストッパーの分解斜視図、（ｂ）は金属外皮の展開図、（ｃ）金属外皮の斜視図である。
【図４】同上のダンパー装置と後リンクとの連結構造を示す側面断面図である。
【図５】図４の正面図である。
【図６】同上のダンパー装置と後リンクとの連結構造を示す側面図である。
【図７】同上の後リンクとダンパー装置の分解側面図である。
【図８】従来例の側面図である。
【図９】従来例の収納体を最も前下方に引き降ろしたときの側面図である。
【図１０】従来のストッパーを説明する正面図である。
【符号の説明】
１  外箱
２  収納体
３  リンク機構
４  前リンク
４ａ  上方部
５  後リンク
６  ストッパー
６ａ  前面
６ｂ  後面
７  後リンクの下端部の回転軸
８  前リンクの下端部の回転軸
９  下方延長部
１０  ストッパー当接面
１１  金属外皮
１２  弾性体
１３  機構カバー
１４  軸受部
１５  ダンパー装置
１６  ダンパー連結具
１７  ピン
１８  当たり防止部材
【図１】
0003541737.tif 000002
【図２】
0003541737.tif 000003
【図３】
0003541737.tif 000004
【図４】
0003541737.tif 000005
【図５】
0003541737.tif 000006
【図６】
0003541737.tif 000007
【図７】
0003541737.tif 000008
【図８】
0003541737.tif 000009
【図９】
0003541737.tif 000010
【図１０】
0003541737.tif 000011